(57)【要約】  一実施形態では、サービングＲＡＮエンティティと呼ばれ、１つまたは複数のセルを制御する無線アクセスネットワークＲＡＮエンティティは：−  サービングＣＮエンティティと呼ばれるコアネットワークＣＮエンティティに、アイドルモードのユーザ機器ＵＥのページング用の推奨セルのリストを送信するように構成される。
2018502517.tif 000002
【特許請求の範囲】
【請求項１】
サービングＲＡＮエンティティと呼ばれ、１つまたは複数のセルを制御する無線アクセスネットワークＲＡＮエンティティであって、
サービングＣＮエンティティと呼ばれるコアネットワークＣＮエンティティに、アイドルモードのユーザ機器ＵＥのページング用の推奨セルのリストを送信する
ように構成される、無線アクセスネットワークＲＡＮエンティティ。
【請求項２】
移動管理エンティティＭＭＥまたはサービングＧＰＲＳサポートノードＳＧＳＮなどの前記ＣＮエンティティに、ページングメッセージを送信すべき推奨ＲＡＮエンティティのリストとして編成される前記ＵＥのページング用の推奨セルのリストと、各ＲＡＮエンティティについての、前記ＵＥのページング用の推奨セルのリストとを送信する
ように構成される、ｅＮｏｄｅＢ  ｅＮＢまたは無線ネットワークコントローラＲＮＣなどの、請求項１に記載のＲＡＮエンティティ。
【請求項３】
前記ＣＮエンティティに対して透過的なコンテナ内で、ＵＥ無線ページング能力を前記ＣＮエンティティに送信する
ように構成される、請求項１または２に記載のＲＡＮエンティティ。
【請求項４】
前記ＣＮエンティティに対して透過的なコンテナ内で、前記推奨ＲＡＮエンティティのリストの各ＲＡＮエンティティについての前記ＵＥのページング用の推奨セルのリストを前記ＣＮエンティティに送信する
ように構成される、請求項２または３に記載のＲＡＮエンティティ。
【請求項５】
ＵＥが接続モードで接続されていたセルのリストに基づいて、前記推奨セルのリストを構築する
ように構成される、請求項１から４のいずれか一項に記載のＲＡＮエンティティ。
【請求項６】
ＵＥが接続モードで接続されていたセルと、前記セルのネイバーにあるネイバーセルとのリストに基づいて、前記推奨セルのリストを構築する
ように構成される、請求項１から５のいずれか一項に記載のＲＡＮエンティティ。
【請求項７】
ＵＥが接続モードで接続されていたセルと、前記セルのネイバーにあって前記ＵＥの無線能力と互換性のあるネイバーセルとのリストに基づいて、前記推奨セルのリストを構築する
ように構成される、請求項１から６のいずれか一項に記載のＲＡＮエンティティ。
【請求項８】
ＵＥが接続モードで接続されていたセルと、前記セルのネイバーにあって前記ＵＥの無線能力と互換性のあるネイバーセルとのリストに基づいて、前記推奨セルのリストを構築して、ＵＥが接続モードで接続されていたセルに各ネイバーセルを関連付ける
ように構成される、請求項１から７のいずれか一項に記載のＲＡＮエンティティ。
【請求項９】
ＵＥが接続モードで接続されていたセルのリストを収集する
ように構成される、請求項１から８のいずれか一項に記載のＲＡＮエンティティ。
【請求項１０】
ＵＥが接続モードで接続されていたセルと、前記セルのネイバーにあるネイバーセルとのリストを収集する
ように構成される、請求項１から９のいずれか一項に記載のＲＡＮエンティティ。
【請求項１１】
ＵＥが接続モードで接続されていたセルと、ＵＥ無線能力と互換性のある前記セルのネイバーにあるネイバーセルとのリストを収集する
ように構成される、請求項１から１０のいずれか一項に記載のＲＡＮエンティティ。
【請求項１２】
以前のサービングＲＡＮエンティティにおいてＵＥが接続モードで接続されていたセルのリストを、ＲＡＮエンティティ間ハンドオーバ時に収集する
ように構成される、請求項１から１１のいずれか一項に記載のＲＡＮエンティティ。
【請求項１３】
以前のサービングＲＡＮエンティティにおいてＵＥが接続モードで接続されていたセルと、前記セルのネイバーにあるネイバーセルとのリストを、ＲＡＮエンティティ間ハンドオーバ時に収集する
ように構成される、請求項１から１２のいずれか一項に記載のＲＡＮエンティティ。
【請求項１４】
以前のサービングＲＡＮエンティティにおいてＵＥが接続モードで接続されていたセルと、ＵＥ無線能力と互換性のある前記セルのネイバーにあるネイバーセルとのリストを、ＲＡＮエンティティ間ハンドオーバ時に収集する
ように構成される、請求項１から１３のいずれか一項に記載のＲＡＮエンティティ。
【請求項１５】
前記ＵＥが接続モードからアイドルモードに遷移したときに、前記推奨セルのリストを前記ＣＮエンティティに送信する
ように構成される、請求項１から１４のいずれか一項に記載のＲＡＮエンティティ。
【請求項１６】
Ｓ１解放手順中またはＩｕ解放手順中など、前記ＵＥが接続モードからアイドルモードに遷移したときに、前記推奨ＲＡＮエンティティのリストと、各推奨ＲＡＮエンティティについての前記ＵＥのページング用の推奨セルのリストとを前記ＣＮエンティティに送信する
ように構成される、請求項２から１５のいずれか一項に記載のＲＡＮエンティティ。
【請求項１７】
サービングＣＮエンティティと呼ばれるコアネットワークＣＮエンティティであって、
サービングＲＡＮエンティティと呼ばれ、１つまたは複数のセルを制御する無線アクセスネットワークＲＡＮエンティティから、アイドルモードのユーザ機器ＵＥのページング用の推奨セルのリストを受信する
ように構成される、コアネットワークＣＮエンティティ。
【請求項１８】
ページングメッセージを送信すべき推奨ＲＡＮエンティティのリストとして編成される前記ＵＥのページング用の推奨セルのリストと、各推奨ＲＡＮエンティティについての、前記ＵＥのページング用の推奨セルのリストとを、ｅＮｏｄｅＢ  ｅＮＢまたは無線ネットワークコントローラＲＮＣなどのＲＡＮエンティティから受信する
ように構成される、移動管理エンティティＭＭＥまたはサービングＧＰＲＳサポートノードＳＧＳＮなどの、請求項１７に記載のＣＮエンティティ。
【請求項１９】
前記ＵＥが接続モードからアイドルモードに遷移したときに、前記ＵＥの前記ページング用の推奨セルのリストを受信し、
ページングメッセージを送信すべきＲＡＮエンティティのリストを導出する
ように構成される、請求項１７に記載のＣＮエンティティ。
【請求項２０】
Ｓ１解放手順中またはＩｕ解放手順中など、前記ＵＥが接続モードからアイドルモードに遷移したときに、前記推奨ＲＡＮエンティティのリストと、各推奨ＲＡＮエンティティについての前記ＵＥのページング用の推奨セルのリストとを受信する
ように構成される、請求項１８に記載のＣＮエンティティ。
【請求項２１】
前記推奨ＲＡＮエンティティのリストを受信したときにタイムスタンプを設定し、前記リストと共に格納し、後でＵＥをページングするときに前記リストがまだ関連があるか否かを評価するために使用する
ように構成される、請求項１８または２０に記載のＣＮエンティティ。
【請求項２２】
前記推奨セルのリストを受信したときにタイムスタンプを設定し、前記リストと共に格納し、後でＵＥをページングするときに前記リストがまだ関連があるか否かを評価するために使用する
ように構成される、請求項１７または１９に記載のＣＮエンティティ。
【請求項２３】
前記ＲＡＮエンティティのリストのＲＡＮエンティティにページングメッセージを送信し、
ＲＡＮエンティティに送信されるページングメッセージに、前記ＲＡＮエンティティによるページング用の推奨セルのリストを付加する
ように構成される、請求項１８から２２のいずれか一項に記載のＣＮエンティティ。
【請求項２４】
前記ＲＡＮエンティティのリストのＲＡＮエンティティにページングメッセージを送信し、
ＲＡＮエンティティに送信されるページングメッセージに、ページング用のＵＥ無線能力に関連する情報を付加する
ように構成される、請求項１８から２３のいずれか一項に記載のＣＮエンティティ。
【請求項２５】
第１のステップにおいて前記ＲＡＮエンティティのリストのＲＡＮエンティティにページングメッセージを送信し、
前記第１のステップにおいて前記ページングへの応答がＵＥから受信されない場合、ＵＥが登録されている地理的エリアの全てのＲＡＮエンティティにページングメッセージを送信する
ように構成される、請求項１８から２４のいずれか一項に記載のＣＮエンティティ。
【請求項２６】
ｅＮｏｄｅＢ  ｅＮＢもしくは無線ネットワークコントローラＲＮＣまたは基地局コントローラＢＳＣなどの、ユーザ機器ＵＥのＲＡＮエンティティ間ハンドオーバにおけるソースＲＡＮエンティティと呼ばれる無線アクセスネットワークＲＡＮエンティティであって、前記ハンドオーバが、前記ソースＲＡＮエンティティから、ｅＮＢもしくはＲＮＣまたはＢＳＣなどの、ターゲットＲＡＮエンティティと呼ばれるＲＡＮエンティティへのものであり、前記ソースＲＡＮエンティティが、
前記ターゲットＲＡＮエンティティへ、たとえばＸ２インターフェースまたはＩｕｒインターフェースを介したハンドオーバ要求メッセージ内で、またはＳ１、Ｓ１０、Ｉｕ、Ｓ３またはＧｎインターフェースを介したＣＮエンティティに対して透過的なコンテナ内で、ＵＥが接続されていたセルと、前記セルのネイバーにあるネイバーセルとのリストを送信する
ように構成される、無線アクセスネットワークＲＡＮエンティティ。
【請求項２７】
前記ターゲットＲＡＮエンティティへ、前記ソースＲＡＮエンティティにおいてＵＥが接続されていたセルおよび前記セルのネイバーにあるネイバーセルのリストと、以前のＲＡＮエンティティにおいてＵＥが接続されていたセルおよび前記セルのネイバーにあるネイバーセルのリストとを送信する
ように構成される、請求項２６に記載のＲＡＮエンティティ。
【請求項２８】
請求項１から１６、もしくは２６または２７のいずれか一項に記載のＲＡＮエンティティにより実行される１つまたは複数のステップを備える、モバイルネットワークにおけるページング最適化のための方法。
【請求項２９】
請求項１７から２５のいずれか一項に記載のコアネットワークＣＮエンティティにより実行される１つまたは複数のステップを備える、モバイルネットワークにおけるページング最適化のための方法。
【発明の詳細な説明】
【技術分野】
【０００１】
本発明は、一般にモバイル通信ネットワークおよびシステムに関する。
【背景技術】
【０００２】
モバイルネットワークおよびシステムの説明は、たとえば特に、３ＧＰＰ（第３世代パートナーシッププロジェクト）などの標準化団体によって発行された技術仕様などの文献に見出すことができる。
【０００３】
モバイルシステムにおいて、ユーザ機器ＵＥとも呼ばれるモバイル端末は、モバイル通信サービスを提供するモバイルネットワークにアクセスすることができる。モバイルネットワークは一般に、無線アクセスネットワーク（ＲＡＮ：Ｒａｄｉｏ  Ａｃｃｅｓｓ  Ｎｅｔｗｏｒｋ）を介してアクセスされるコアネットワーク（ＣＮ）を備える。
【０００４】
３ＧＰＰモバイルシステムの例は、特に３ＧＰＰ  ＴＳ２３．４０１に規定されているＥＰＳ（進化型パケットシステム：Ｅｖｏｌｖｅｄ  Ｐａｃｋｅｔ  Ｓｙｓｔｅｍ）である。ＥＰＳネットワークは、Ｅ−ＵＴＲＡＮまたはＵＴＲＡＮ／ＧＥＲＡＮなどの無線アクセスネットワーク（ＲＡＮ）によってアクセス可能なＥＰＣ（進化型パケットコア：Ｅｖｏｌｖｅｄ  Ｐａｃｋｅｔ  Ｃｏｒｅ）と呼ばれるコアネットワークを備える。ＥＰＣエンティティは、ＥＰＣへのＥ−ＵＴＲＡＮアクセスのための移動管理エンティティ（ＭＭＥ：Ｍｏｂｉｌｉｔｙ  Ｍａｎａｇｅｍｅｎｔ  Ｅｎｔｉｔｙ）、またはＥＰＣへのＵＴＲＡＮ／ＧＥＲＡＮアクセスのためのサービングＧＰＲＳサポートノード（ＳＧＳＮ）を含む。Ｅ−ＵＴＲＡＮエンティティは、ｅＮｏｄｅＢ（ｅＮＢ）を含む。各ＲＡＮエンティティは、１つまたは複数のセルを制御する。
【０００５】
そのようなシステムでは、登録されたＵＥは、接続モード（ＵＥがＲＡＮに知られている場合）、またはアイドルモード（ＵＥがＲＡＮに知られていない場合）にあることができる。接続モードでは、ＵＥ位置はＲＡＮにおいてセルの精度で知られているのに対し、アイドルモードでは、ＵＥ位置はＣＮにおいて地理的エリアの精度でしか知られていない（たとえばＥＰＣへのＥ−ＵＴＲＡＮアクセスのためのトラッキングエリア（ＴＡ）のリスト）。
【０００６】
アイドルモードのＵＥに対してダウンリンクパケットが受信された場合、ＥＰＳについてのネットワークトリガされるサービス要求手順（３ＧＰＰ  ＴＳ２３．４０１から抜粋された図１で想起される）などの手順が実行され、これはページング手順を含む。たとえば、ＥＰＣへのＥ−ＵＴＲＡＮアクセスのために、ページング手順は、ＵＥにサービスするＭＭＥによって、Ｓ１ＡＰインターフェース上で、ＵＥが登録されているＴＡに属するｅＮＢにページングメッセージを送信することと、ＵＥが登録されているＴＡに属するセルにおいて、ｅＮＢによって無線インターフェース上でＵＥをページングすることとを含む。同様に、ＥＰＣへのＵＴＲＡＮ／ＧＥＲＡＮアクセスのために、ページング手順は、ＵＥにサービスするＳＧＳＮによって、ＵＥが登録されているルーティングエリアＲＡに属するＲＮＣ／ＢＳＣにページングメッセージを送信することと、ＵＥが登録されているＲＡに属するセルにおいてＲＮＣ／ＢＳＣによってＵＥをページングすることとを含む。
【先行技術文献】
【非特許文献】
【０００７】
【非特許文献１】３ＧＰＰ  ＴＳ２３．４０１
【非特許文献２】３ＧＰＰ  ＴＳ３６．４２３
【非特許文献３】３ＧＰＰ  ＴＳ３６．４１３
【非特許文献４】３ＧＰＰ  ４８．００８
【発明の概要】
【課題を解決するための手段】
【０００８】
本発明者によって認識され、後でより詳細に説明されるように、具体的にはマシンタイプ通信（ＭＴＣ：Ｍａｃｈｉｎｅ  Ｔｙｐｅ  Ｃｏｍｍｕｎｉｃａｔｉｏｎｓ）、および／または低移動性または固定のＵＥ、および／または制限された無線能力を有するＵＥ、および／または多数のセルを有するｅＮＢなどのＲＡＮエンティティ、および／または多数のセルを制御するＭＭＥ／ＳＧＳＮなどのＣＮエンティティのために、具体的には無線インターフェースおよび／またはＭＭＥ／ＳＧＳＮなどのＣＮエンティティへのページング負荷を低減するように、そのようなページングメカニズムを最適化する必要がある。より一般的には、そのようなシステムの性能を向上させる必要がある。
【０００９】
本発明の実施形態は、特にそのようなニーズに対処する。本発明の実施形態は、ＥＰＣへのＥ−ＵＴＲＡＮアクセスに限定されず、ＥＰＳにおけるＥＰＣへのＵＴＲＡＮ／ＧＥＲＡＮアクセス、またはたとえばＵＭＴＳまたはＧＰＲＳなどのＥＰＳ以外のシステムにも適用することができる。
【００１０】
これらおよび他の目的は、一態様では、サービングＲＡＮエンティティと呼ばれ、１つまたは複数のセルを制御する無線アクセスネットワークＲＡＮエンティティであって：
−  サービングＣＮエンティティと呼ばれるコアネットワークＣＮエンティティに、アイドルモードのユーザ機器ＵＥのページング用の推奨セルのリストを送信する
ように構成される、無線アクセスネットワークＲＡＮエンティティによって実現される。
【００１１】
これらおよび他の目的は、他の態様では、ｅＮｏｄｅＢ  ｅＮＢもしくは無線ネットワークコントローラＲＮＣまたは基地局コントローラＢＳＣなどの、ユーザ機器ＵＥのＲＡＮエンティティ間ハンドオーバにおけるソースＲＡＮエンティティと呼ばれる無線アクセスネットワークＲＡＮエンティティであって、前記ハンドオーバが、前記ソースＲＡＮエンティティから、ｅＮＢもしくはＲＮＣまたはＢＳＣなどの、ターゲットＲＡＮエンティティと呼ばれるＲＡＮエンティティへのものであり、前記ソースＲＡＮエンティティが：
−  前記ターゲットＲＡＮエンティティへ、たとえばＸ２インターフェースまたはＩｕｒインターフェースを介したハンドオーバ要求メッセージ内で、またはＳ１、Ｓ１０、Ｉｕ、Ｓ３またはＧｎインターフェースを介したＣＮエンティティに対して透過的なコンテナ内で、ＵＥが接続されていたセルと、前記セルのネイバーにあるネイバーセルとのリストを送信する
ように構成される、無線アクセスネットワークＲＡＮエンティティによって実現される。
【００１２】
これらおよび他の目的は、他の態様では、サービングＣＮエンティティと呼ばれるコアネットワークＣＮエンティティであって：
−  サービングＲＡＮエンティティと呼ばれ、１つまたは複数のセルを制御する無線アクセスネットワークＲＡＮエンティティから、アイドルモードのユーザ機器ＵＥのページング用の推奨セルのリストを受信する
ように構成される、コアネットワークＣＮエンティティによって実現される。
【００１３】
これらおよび他の目的は、他の態様では、そのようなエンティティにより実行される１つまたは複数のステップを備える方法によって実現される。
【００１４】
本発明の実施形態による装置および／または方法のいくつかの実施形態が、単なる例として、添付の図面を参照してここで説明される。
【図面の簡単な説明】
【００１５】
【図１】現在の技術水準によるＥＰＳにおけるネットワークトリガされるサービス要求手順中などに実行されるページングを想起するための図である。
【図２】本発明の実施形態によるシグナリングフローの第１の例を示すための図である。
【図３】本発明の実施形態によるシグナリングフローの第２の例を示すための図である。
【図４】本発明の実施形態によるシグナリングフローの第３の例を示すための図である。
【図５】本発明の実施形態によるシグナリングフローの第４の例を示すための図である。
【図６】本発明の実施形態によるシグナリングフローの第５の例を示すための図である。
【発明を実施するための形態】
【００１６】
本発明の実施形態の以下の説明は、例としてＥＰＣへのＥ−ＵＴＲＡＮアクセスについて行われる。しかしながら、上述されたように、本発明の実施形態はそのような例に限定されない。
【００１７】
例としてＥＰＣへのＥ−ＵＴＲＡＮアクセスについて、ページング負荷の問題の例が最初に説明される。
【００１８】
ページング戦略は、ＭＭＥ側で実施することができる。ＭＭＥ側でのページング戦略は、１つまたは複数のステップで、たとえば最初に、最後に発見されたｅＮＢにおいて、次いでＵＥが登録されているＴＡリストの全てのｅＮＢにおいて、ＵＥをページングすることを含む。ＭＭＥはまた、ＵＥが特定の時間接続されていた最後のｅＮＢを知ることができ、それらのｅＮＢにおいてページングすることができる。ページング戦略はまた、ＴＳ２３．４０１の５．３．４．３節で規定されているいくつかの最適化を含む。しかしながら、３ＧＰＰで規定されているページングメカニズムは完全には最適化されておらず、たとえば、マシンタイプ通信（ＭＴＣ）端末の激増と共に、無線インターフェースおよびＭＭＥの両方へのページング負荷が問題になり得る。
【００１９】
無線インターフェース負荷の問題の例は、ＭＭＥがアイドルモードのＵＥについてｅＮＢにページングメッセージを送信し、ｅＮＢがそのＵＥについてのコンテキストを有さず、したがってＵＥ無線能力をまだ知らない場合である。したがって、ｅＮＢは、そのｅＮＢの全てのセルにわたって、ＵＥがセル周波数帯域をサポートしていなくても、ＵＥをページングする。
【００２０】
無線インターフェース負荷の問題の他の例は、ＵＥがｅＮＢ内のセル間を移動したかをＭＭＥを知らず、したがってＵＥの移動性パターン（ＵＥが固定であるため移動性がない、少数のセル間の小さい移動性、または大規模な移動性）を検出できないことである。したがって、多数のセルを有するｅＮＢの場合、ＭＭＥがＵＥをページングすることを要求したとき、ｅＮＢは現在、ＵＥが固定であっても、その全てのセルにページングする。
【００２１】
ＭＭＥ負荷の問題の例は、特にほとんど移動しない低移動性または固定のデバイスまたはスマートフォンについて、多数のｅＮＢにページングメッセージを送信することに関し、ＭＭＥは、ＵＥがある構成時間の間にＭＭＥによって発見された最後のｅＮＢまたはｅＮＢのリストをＵＥコンテキストに格納することができるが、このリストは（異なるｅＮＢによってサービスされ得る）それらのｅＮＢの非常にネイバーセルを含まない。問題は、最後に接続されていたときにＵＥに以前にサービスしていたｅＮＢを介してＭＭＥがＵＥをページングし、ＵＥが応答しなかった場合、ＭＭＥはＵＥが登録されているＴＡのリスト全体にページングしなければならないということである。言い換えれば、最後に接続状態にあったときにＵＥがサービスされていたｅＮＢの近くのネイバーをＭＭＥは知らない。ｅＮＢのネイバーセルのリストは、所与のＵＥコンテキストに関連付けられている場合、（たとえば、無線周波数帯域に関する）そのＵＥの能力と互換性のあるセルのみを含むべきである。
【００２２】
また、無線インターフェースの問題について、最近のＣＲのセットが低複雑性ＵＥについて３ＧＰＰにおいて合意されており（Ｓ２−１４３７９６、Ｒ２−１４３９７７、Ｒ２−１４３９７８およびＲ３−１４１８９０）、これは、サービングｅＮＢが、ページング情報要素についての新たなＵＥ無線能力を有するＵＥ能力表示（ＵＥケーパビリティインディケーション）メッセージを送信し、これがＭＭＥによってＵＥコンテキストに格納され、次いでｅＮＢへの次のページングメッセージに付加されることを含み、これにより、ページングメッセージを受信したｅＮＢが、無線インターフェースを最適化することが可能になり、これはたとえば低複雑性ＵＥを特定の送信電力でページングすることができるためである（その理由は、そのような低複雑性／低コストのＵＥは、非常に感度の高い受信機によって計画されていないためである）。しかしながら、これはカテゴリ０（低複雑性）のＵＥに限られる。
【００２３】
Ｓ２−１４４２７３で開示された他の解決策は、サポートされる周波数帯域をサービングｅＮＢからＭＭＥに透過型コンテナ内で送信し、これをＭＭＥが格納し、次いでｅＮＢへの次のページングメッセージに追加することを含む。この解決策は、ＵＥによってサポートされていない周波数帯域を使用するセル内でＵＥをページングすることを回避する。
【００２４】
同様のページング負荷の問題が、たとえば、進化型パケットコアＥＰＣまたはＧＰＲＳパケットコアへのＵＴＲＡＮまたはＧＥＲＡＮアクセスについて発生し得る。
【００２５】
ページングメカニズムを最適化して、具体的にはページング負荷を軽減し、より一般的にはそのようなシステムの性能を向上させることが必要とされる。
【００２６】
そのようなニーズに対処する本発明の様々な態様および／または実施形態が、例としてＥＰＣへのＥ−ＵＴＲＡＮアクセスについて、最初に説明される。
【００２７】
本発明の実施形態は、以下の条件の１つまたは複数、好ましくは全ての下でのページングに関連する無線シグナリングおよび／またはコアネットワーク負荷の問題を解決するページング最適化を導入する：
−  ＭＭＥはページング戦略全体の制御を維持しなければならず、すなわち、ＭＭＥは、加入プロファイル、ＵＥがページングされるサービスなどの既存の知識に応じて、１つまたはいくつかのステップでＵＥをページングするか否かを決定できなければならない。
−  コアネットワークによるセルの認識、すなわち、どのセルがどのＲＡＮエンティティによって制御されるか、およびコアネットワークによるセルの無認識の両方がサポートされなければならず、ＭＭＥはセルを現在認識しておらず、ｅＮＢレベルのみを知っているが、他のタイプのコアネットワークサービングノードはセルレベルを知っている場合がある（たとえば、ＵＥ／ＭＳがＲＥＡＤＹ状態にある場合にＵＥ／ＭＳがキャンプオンしているセルを２Ｇ−ＳＧＳＮが知っており、「ＲＥＡＤＹ状態では、ＳＧＳＮ  ＭＭコンテキストは、セルレベルの加入者の位置情報によって拡張されるＳＴＡＮＤＢＹ  ＭＭコンテキストに対応する」）。
−  ＵＥがページングされるセルの数を最小化しつつ、最初にＵＥに到達する機会が向上しなければならない。
−  ＵＥがキャンプオンする能力がないセルの下でＵＥをページングすること（たとえば、サポートされていない周波数帯域）は避けられなければならない。
【００２８】
本発明の実施形態は、無線アクセスネットワークからページングを支援する概念を導入し、これは、ＭＭＥがページングメッセージを送信すべき関連するｅＮＢを決定する際にＭＭＥを支援すること、ｅＮＢがＵＥをページングすべき関連セルのリストを関連するｅＮＢに提供する際にＭＭＥを支援することの少なくとも１つを含むことができる。
【００２９】
本発明の実施形態は、既存の仕様において、ＵＥが接続モードにあるときにサービングｅＮＢがＵＥ無線能力を知ることができるという事実を利用する。
【００３０】
本発明の実施形態は、サービングｅＮＢが、ＵＥがサービングｅＮＢ内で接続されていたセル、ならびにＵＥが接続されていたセルの（ＵＥ無線能力と互換性のある）ネイバーセルのリストを知ることができるという事実を利用する。
【００３１】
本発明の実施形態は、ＵＥが接続モードにある場合、サービングｅＮＢは、たとえばＳ１またはＸ２インターフェースを介したｅＮＢ間ハンドオーバ時に、ＵＥが以前のｅＮＢにおいて接続されていたセルのリストを収集することができ、ターゲットｅＮＢはそのようなリストをソースｅＮＢから受信することができるという事実を利用する。これは、Ｘ２またはＳ１インターフェース上でのｅＮＢ間ハンドオーバ時の「ＵＥ履歴情報」ＩＥ（情報要素：Ｉｎｆｏｒｍａｔｉｏｎ  Ｅｌｅｍｅｎｔ）の交換に依存し得る。このＩＥは、特に３ＧＰＰ  ＴＳ３６．４２３または３ＧＰＰ  ＴＳ３６．４１３において、ターゲットセルの前にＵＥがアクティブ状態および／またはアイドル状態でサービスされていたセルに関する情報を含むものとして定義されている。しかしながら、既存の仕様では、このＩＥはターゲットｅＮＢによって、将来のハンドオーバの準備のために使用される。
【００３２】
本発明の一態様は、一実施形態では、ソースｅＮＢが、ＵＥが接続されていたセルの（ＵＥ無線能力と互換性のある）ネイバーセルをターゲットｅＮＢに提供することができるものである。
【００３３】
本発明の他の態様は、一実施形態では、サービングｅＮＢが、ＵＥが接続されていたｅＮＢのリストと、任意選択により、ＵＥが接続されていたセルの（ＵＥ無線能力と互換性のある）ネイバーセルにサービスするｅＮＢとに基づく「ページング用の推奨ｅＮＢ」のリストを構築することができるものである。この情報はＥＮＢから来る必要があり、その理由は、ＭＭＥは、ＵＥが接続されていたｅＮＢのリストを知ることができるが、真のｅＮＢのネイバーを知らず、知る必要がないためである。
【００３４】
本発明の他の態様は、一実施形態では、サービングｅＮＢが、「ページング用の推奨ｅＮＢ」のリスト内の各ｅＮＢについて、ｅＮＢ間ハンドオーバ時にソースｅＮＢによって提供される情報に基づいて「ページング用のセルの推奨リスト」を構築することができるものである（すなわち、ＵＥの接続順の、各セルについてＵＥがそのセルに滞在していた期間を有する、ＵＥが接続されていたセルのリスト、およびＵＥ無線能力と互換性のあるネイバーのリスト）。
【００３５】
本発明の他の態様は、一実施形態では、有利にはＳ１解放手順時に、ｅＮＢはＭＭＥに、「ページング用の推奨ｅＮＢ」のリストと、各ｅＮＢについての「ページング用のセルの推奨リスト」とを提供することができるものである。ＭＭＥは、セルのリストを知る必要はないが、（将来のＵＥページングのために）ページングメッセージを送信すべきｅＮＢのリストを知る必要がある。所与のｅＮＢによって制御される「ページング用のセルの推奨リスト」は、ＭＭＥに対して透過的なコンテナ内で搬送することができ、これはＭＭＥがセルと独立している原理に沿っている。
【００３６】
既存の仕様では、サービングｅＮＢは、ＭＭＥへのＵＥ能力情報表示（ＵＥケーパビリティインフォインディケーション）メッセージ内でＭＭＥに送信され、ＭＭＥによって格納されるが透過的であり、ＭＭＥによってページングメッセージ内でｅＮＢに送信される「ページング用のＵＥ無線能力ＩＥ」コンテナを送信することができる。このＩＥは、ＵＥが「低複雑性ＵＥ」（カテゴリ０）であるか否かの表示を伝達するために、ＴＳ３６．４１３へのＣＲ１２５５（Ｒ３−１４１８９０）およびＴＳ３６．３３１へのＣＲ１５７９（Ｒ２−１４３９７７）に導入されている。このＩＥは、他のＵＥ無線能力（ＬＴＥだけでなくＵＴＲＡＮでも）、たとえば、サポートされる周波数帯域または周波数帯域の組み合わせ、サポートされるモード（ＦＤＤ／ＴＤＤ）などを伝達するように拡張することができる。ｅＮＢへのページングメッセージ内に拡張された「ページング用のＵＥ無線能力ＩＥ」が存在することにより、受信ｅＮＢは、ＵＥがサポートできないセルへのページングを回避することができる。このメカニズムは無線シグナリングを節約する。本発明の他の態様は、任意のｅＮＢに共通であり、ＭＭＥによって格納され、任意のｅＮＢにページングメッセージで送信される透過型コンテナまたは透過型コンテナの一部を、ｅＮＢによってのみ理解されるｅＮＢページング戦略に有用な情報を含むページング情報データブロックとすることができるものである。
【００３７】
本発明の他の態様は、一実施形態では、ＭＭＥが上記の情報を用いて、ページングメッセージを第１のステップにおいて「ページング用の推奨ｅＮＢのリスト」へ、有利にはｅＮＢごとの「推奨セルのリスト」と共に、または代わりに「ページング用のＵＥ無線能力ＩＥ」と共に送信し、次いで第２のステップにおいて、ＵＥが登録されている「ＴＡのリスト」に関与する全てのｅＮＢへ、有利には「ページング用のＵＥ無線能力ＩＥ」と共に送信することができるものである。
【００３８】
いくつかの実施形態では、以下の態様の１つまたは複数を提供することができる：
−  最初にＵＥがページングされるセルを最小化しつつ、ページング成功を最大化するためには、ＵＥがページングされるべきセルのリスト（「ページング用の推奨セル」のリストとも呼ばれる）が、Ｓ１解放時にサービングｅＮＢによってＭＭＥに提供されなければならない。
−  エリア、すなわち最初にＵＥがページングされるセルの数を最小化しつつ、ページング成功を最大化するためには、「ページング用の推奨セル」のリストが、サービングｅＮＢによって、ＵＥが接続されていたセルおよびそのネイバーから構築されなければならない。
−  サービングｅＮＢがページング用の推奨セルのリストを構築することを可能にするために、ＵＥが接続されていたセルにネイバーセルのリストを追加することによって、ＵＥ履歴情報を強化することが提案される。
−  ＭＭＥは、後でＵＥをページングするときに、ページング用の推奨セルのリストがまだ関連があるか否かを評価するために、推奨セルのリストをタイムスタンプと共に格納することができる。
−  サービングｅＮＢによってＭＭＥに送信されるページング用の推奨セルのリストが、ページングされるべきｅＮＢのリストとして編成され、それぞれ、透過型コンテナ内にページング用の推奨セルのリストを有する。
【００３９】
拡張パケットコアを有するＥ−ＵＴＲＡＮについての上述の本発明の態様および／または実施形態は、ＲＮＳ（無線ネットワークサブシステム：Ｒａｄｉｏ  Ｎｅｔｗｏｒｋ  Ｓｕｂｓｙｓｔｅｍ）およびＢＳＳ（基地局サブシステム：Ｂａｓｅ  Ｓｔａｔｉｏｎ  Ｓｕｂｓｙｓｔｅｍ）がｅＮＢとして動作し、ＳＧＳＮがＭＭＥとして動作する、ＧＰＲＳコアまたは拡張パケットコアを有するＵＴＲＡＮおよびＧＥＲＡＮに拡張することができる。ｅＮＢ間ハンドオーバは、ＲＮＣ間またはＢＳＣ間ハンドオーバ、およびＲＡＴ間ハンドオーバに拡張することができる。
【００４０】
ＲＡＮエンティティによって編成されていないページング用の推奨セルのリストが、上述の「ページング用の推奨ｅＮＢのリスト、およびこのリストの各ｅＮＢについてのページング用のセルの推奨リスト」の代わりに使用されなければならない場合があり、これは、ＧＥＲＡＮがＭＳＣをインターフェースする場合、またはＣＮエンティティが、ＲＡＮエンティティによって編成されていないそのようなページング用の推奨セルのリストから、ページングメッセージを送信すべき対応するＲＡＮエンティティ（ＧＥＲＡＮ用のＢＳＣなど）のリストを導出することが可能な任意の場合である。実際に、３ＧＰＰ  ４８．００８で定義されているＢＳＳ管理アプリケーションパート（ＢＳＳＭＡＰ：ＢＳＳ  Ｍａｎａｇｅｍｅｎｔ  Ａｐｐｌｉｃａｔｉｏｎ  Ｐａｒｔ）において、ＭＳＣは、（３．２．１．１９節で定義された）「ページング」メッセージをＢＳＳに送信することができ、ここでＭＳＣはそのページング要求内で（３．２．２．２７節で定義された）セル識別子リストを提供することができる。本発明の一実施形態では、ＭＳＣに送信される消去完了（クリアコンプリート）メッセージにおいて、ＵＥにサービスした（および、このＵＥ用のＡインターフェース接続を解放した）最後のＢＳＳは、ページング用の推奨セルのリストを追加することができる。
【００４１】
例としてＥＰＣへのＥ−ＵＴＲＡＮアクセスについて、いくつかの実施形態が図２−図５に示されている。
【００４２】
図２は、本発明の実施形態で増強された、３ＧＰＰ  ＴＳ３６．４２３に規定されているＸ２ベースのハンドオーバシグナリングを示す。ソースｅＮＢにおいてＵＥが訪問していたセル（および任意選択で、ＵＥ無線能力と任意選択で互換性のある限られた数（たとえば、３つ）のネイバーセル）のリストと、以前のｅＮＢにおいてＵＥが訪問していたセル（および任意選択で、ＵＥ無線能力と任意選択で互換性のある限られた数（たとえば、３つ）のネイバーセル）のリストとが、Ｘ２インターフェースを介したハンドオーバ要求メッセージに追加される。これは、２つのＲＮＣ間のＩｕｒインターフェースに拡張することができる（ＵＴＲＡＮの場合）。ＲＡＮノード間で交換されるこの情報は、（ＵＥが訪問していたセルのシーケンスごとに）順序付けされ、ページング時にセル情報がまだ関連しているか否かを評価できるようにするために、セルにおけるＵＥの滞在期間に関する情報に関連付けられる。さらに、「ネイバーセル」としてリストに入れられるセルは、いつこのネイバーセル情報が関連しなくなるかの決定を助けるために、ＵＥが訪問していたセルに関連付けられなければならない。
【００４３】
図３は、本発明の実施形態で増強された、３ＧＰＰ  ＴＳ２３．４０１に規定されているＳ１ベースのハンドオーバシグナリングを示す。ソースｅＮＢにおいてＵＥが訪問していたセル（および任意選択で、ＵＥ無線能力と任意選択で互換性のある限られた数（たとえば、３つ）のネイバーセル）のリストと、以前のｅＮＢにおいてＵＥが訪問していたセル（および任意選択で、ＵＥ無線能力と任意選択で互換性のある限られた数（たとえば、３つ）のネイバーセル）のリストとが、Ｓ１インターフェースを介したハンドオーバ必要（ハンドオーバリクワイアド）メッセージおよびハンドオーバ要求（ハンドオーバリクエスト）メッセージと、Ｓ１０インターフェースを介した移転転送要求（フォワードリロケーションリクエスト）メッセージとによって搬送される、ソースからターゲットへの透過型コンテナに追加される。ＲＡＮノード間で交換されるこの情報は、（ＵＥが訪問していたセルのシーケンスごとに）順序付けされ、ページング時にセル情報がまだ関連しているか否かを評価できるようにするために、セルにおけるＵＥの滞在期間に関する情報に関連付けられる。さらに、「ネイバーセル」としてリストに入れられるセルは、いつこのネイバーセル情報が関連しなくなるかの決定を助けるために、ＵＥが訪問していたセルに関連付けられなければならない。
【００４４】
これは、ＲＮＣおよびＳＧＳＮの間のＩｕインターフェース（移転必要／要求）と、２つのＳＧＳＮ間、またはＭＭＥおよびＳＧＳＮの間のＳ３およびＧｎインターフェース（ＵＴＲＡＮの場合）とにそれぞれ拡張することができる。
【００４５】
図４は、本発明の実施形態で増強された、３ＧＰＰ  ＴＳ２３．４０１に規定されているＳ１解放シグナリングを示す。推奨ｅＮＢのリストとして編成される「ページング用の推奨セルのリスト」と、および各ｅＮＢについての、コアネットワークに対して透過的なコンテナ内の、「ページング用の推奨セルのリスト」とが、Ｓ１  ＵＥコンテキスト解放完了（Ｓ１  ＵＥコンテキストリリースコンプリート）に追加される。「ページング用の推奨セルのリスト」は、サービングｅＮＢならびに以前のｅＮＢにおいてＵＥが接続されていた（および／または訪問していた）セルと、ＵＥ無線能力と互換性のあるそれらのネイバーのリストとに基づくことができる。「ページング用の推奨セルのリスト」は、ｅＮＢのみに理解される透過型コンテナに入れることができる。任意のｅＮＢに共通であり、ページングメッセージ内で任意のｅＮＢに送信される透過型コンテナまたは透過型コンテナの一部は、ページング情報データブロックとすることができ、これもｅＮＢのみに理解される。これは、ＲＮＣおよびＳＧＳＮの間のＩｕ解放完了（Ｉｕリリースコンプリート）に拡張することができる（ＵＴＲＡＮの場合）。
【００４６】
実装の選択肢として、サービングノード（ＭＭＥ／ＳＧＳＮ）は、後でＵＥをページングしたとき、この情報がまだ関連があるか否かを評価するために、ページング用の推奨セルのリストを受信したときにタイムスタンプを格納することができる。
【００４７】
実装の選択肢として、ページング用の推奨セルのリストを送信するｅＮＢは、このリストが制限されたサイズ（たとえば、合計１６セルまたは３２セル）を有することを保証して、古い情報を送信しないようにするか、またはＵＥがキャンプしていた最後のＴＡにページングすることを選択した場合に行うよりも多くのセルに、ＭＭＥに実際にページングさせないようにする必要がある。
【００４８】
図５は、本発明の実施形態で増強された、３ＧＰＰ  ＴＳ３６．４１３に規定されているＳ１ページング関連のシグナリングを示す。ＭＭＥがＵＥをページングする必要がある場合：
−  Ｓ１ＡＰページングメッセージを、Ｅ−ＵＴＲＡＮによって提供される推奨ｅＮＢのリストのｅＮＢに送信し、所与のｅＮＢについて、Ｅ−ＵＴＲＡＮによって提供されたページング用の推奨セルのリストを付加し、または、
−  Ｓ１ＡＰページングメッセージを送信すべきｅＮＢを選択し、各ｅＮＢに対して、Ｅ−ＵＴＲＡＮによって提供されＭＭＥによって格納されたページング情報データブロックを含み得る任意のｅＮＢに共通の透過型コンテナを付加することができる。
【００４９】
（Ｓ１）ページング要求内でサービングノード（ＭＭＥ）から受信される情報を考慮する場合、ＲＡＮノード（ＥＮＢ）は、（同様に）ページングメッセージに入れられたトラッキングエリア識別子に属するセルのみを保持しなければならない。これは、ページング用の推奨セルのリストを構築したＥＮＢが、ＵＥが登録されているトラッキングエリア識別子のリストを認識していなかったことを考慮するためである。
【００５０】
図６は、たとえばアイドルモードから接続モードへＵＥが遷移した時に、サービングＲＡＮエンティティによって、アイドルモードのユーザ機器ＵＥのページング用の推奨セルのリストをサービングＣＮエンティティに送信することを示す。この実施形態では、この「ページング用の推奨セルのリスト」は、ＲＡＮエンティティにおいて編成されていない。この実施形態は、たとえば、ＭＳＣによるＧＥＲＡＮアクセスの場合、またはセルがコアネットワークに知られている任意の場合に使用することができ、これによって、ページングメッセージを送信すべき対応するＲＡＮエンティティを導出することができる。
【００５１】
一態様では、サービングＲＡＮエンティティと呼ばれる無線アクセスネットワークＲＡＮエンティティが提供される。
【００５２】
以下の実施形態を含む（ただしこれらに限定されない）様々な組み合わせに従って、単独で、または組み合わせて実施することが可能な様々な実施形態が提供される。
【００５３】
一実施形態では、前記ＲＡＮエンティティは：
−  サービングＣＮエンティティと呼ばれるコアネットワークＣＮエンティティに、アイドルモードのユーザ機器ＵＥのページング用の推奨セルのリストを送信する
ように構成される。
【００５４】
一実施形態では、ｅＮｏｄｅＢ  ｅＮＢまたは無線ネットワークコントローラＲＮＣなどの、前記ＲＡＮエンティティは：
−  移動管理エンティティＭＭＥまたはサービングＧＰＲＳサポートノードＳＧＳＮなどの前記ＣＮエンティティに、ページングメッセージを送信すべき推奨ＲＡＮエンティティのリストとして編成される前記ＵＥのページング用の推奨セルのリストと、各ＲＡＮエンティティについての、前記ＵＥのページング用の推奨セルのリストとを送信する
ように構成される。
【００５５】
一実施形態では、前記ＲＡＮエンティティは：
−  前記ＣＮエンティティに対して透過的なコンテナ内で、ＵＥ無線ページング能力を前記ＣＮエンティティに送信する
ように構成される。
【００５６】
一実施形態では、前記ＲＡＮエンティティは：
−  前記ＣＮエンティティに対して透過的なコンテナ内で、前記推奨ＲＡＮエンティティのリストの各ＲＡＮエンティティについての前記ＵＥのページング用の推奨セルのリストを前記ＣＮエンティティに送信する
ように構成される。
【００５７】
一実施形態では、前記ＲＡＮエンティティは：
−  ＵＥが接続モードで接続されていたセルのリストに基づいて、前記推奨セルのリストを構築する
ように構成される。
【００５８】
一実施形態では、前記ＲＡＮエンティティは：
−  ＵＥが接続モードで接続されていたセルと、前記セルのネイバーにあるネイバーセルとのリストに基づいて、前記推奨セルのリストを構築する
ように構成される。
【００５９】
一実施形態では、前記ＲＡＮエンティティは：
−  ＵＥが接続モードで接続されていたセルと、前記セルのネイバーにあって前記ＵＥの無線能力と互換性のあるネイバーセルとのリストに基づいて、前記推奨セルのリストを構築する
ように構成される。
【００６０】
一実施形態では、前記ＲＡＮエンティティは：
−  ＵＥが接続モードで接続されていたセルと、前記セルのネイバーにあって前記ＵＥの無線能力と互換性のあるネイバーセルとのリストに基づいて、前記推奨セルのリストを構築して、ＵＥが接続モードで接続されていたセルに各ネイバーセルを関連付ける
ように構成される。
【００６１】
一実施形態では、前記ＲＡＮエンティティは：
−  ＵＥが接続モードで接続されていたセルのリストを収集する
ように構成される。
【００６２】
一実施形態では、前記ＲＡＮエンティティは：
−  ＵＥが接続モードで接続されていたセルと、前記セルのネイバーにあるネイバーセルとのリストを収集する
ように構成される。
【００６３】
一実施形態では、前記ＲＡＮエンティティは：
−  ＵＥが接続モードで接続されていたセルと、ＵＥ無線能力と互換性のある前記セルのネイバーにあるネイバーセルとのリストを収集する
ように構成される。
【００６４】
一実施形態では、前記ＲＡＮエンティティは：
−  以前のサービングＲＡＮエンティティにおいてＵＥが接続モードで接続されていたセルのリストを、ＲＡＮエンティティ間ハンドオーバ時に収集する
ように構成される。
【００６５】
一実施形態では、前記ＲＡＮエンティティは：
−  以前のサービングＲＡＮエンティティにおいてＵＥが接続モードで接続されていたセルと、前記セルのネイバーにあるネイバーセルとのリストを、ＲＡＮエンティティ間ハンドオーバ時に収集する
ように構成される。
【００６６】
一実施形態では、前記ＲＡＮエンティティは：
−  以前のサービングＲＡＮエンティティにおいてＵＥが接続モードで接続されていたセルと、ＵＥ無線能力と互換性のある前記セルのネイバーにあるネイバーセルとのリストを、ＲＡＮエンティティ間ハンドオーバ時に収集する
ように構成される。
【００６７】
一実施形態では、前記ＲＡＮエンティティは：
−  前記ＵＥが接続モードからアイドルモードに遷移したときに、前記推奨セルのリストを前記ＣＮエンティティに送信する
ように構成される。
【００６８】
一実施形態では、前記ＲＡＮエンティティは：
−  Ｓ１解放手順中またはＩｕ解放手順中など、前記ＵＥが接続モードからアイドルモードに遷移したときに、前記推奨ＲＡＮエンティティのリストと、各推奨ＲＡＮエンティティについての前記ＵＥのページング用の推奨セルのリストとを前記ＣＮエンティティに送信する
ように構成される。
【００６９】
他の態様では、ｅＮｏｄｅＢ  ｅＮＢもしくは無線ネットワークコントローラＲＮＣまたは基地局コントローラＢＳＣなどの、ユーザ機器ＵＥのＲＡＮエンティティ間ハンドオーバにおけるソースＲＡＮエンティティと呼ばれる無線アクセスネットワークＲＡＮエンティティであって、前記ハンドオーバが、前記ソースＲＡＮエンティティから、ｅＮＢもしくはＲＮＣまたはＢＳＣなどの、ターゲットＲＡＮエンティティと呼ばれるＲＡＮエンティティへのものである、無線アクセスネットワークＲＡＮエンティティが提供される。
【００７０】
以下の実施形態を含む（ただしこれらに限定されない）様々な組み合わせに従って、単独で、または組み合わせて実施することが可能な様々な実施形態が提供される。
【００７１】
一実施形態では、前記ＲＡＮエンティティは：
−  前記ターゲットＲＡＮエンティティへ、たとえばＸ２インターフェースまたはＩｕｒインターフェースを介したハンドオーバ要求メッセージ内で、またはＳ１、Ｓ１０、Ｉｕ、Ｓ３またはＧｎインターフェースを介したＣＮエンティティに対して透過的なコンテナ内で、ＵＥが接続されていたセルと、前記セルのネイバーにあるネイバーセルとのリストを送信する
ように構成される。
【００７２】
一実施形態では、前記ＲＡＮエンティティは：
−  前記ターゲットＲＡＮエンティティへ、前記ソースＲＡＮエンティティにおいてＵＥが接続されていたセルおよび前記セルのネイバーにあるネイバーセルのリストと、以前のＲＡＮエンティティにおいてＵＥが接続されていたセルおよび前記セルのネイバーにあるネイバーセルのリストとを送信する
ように構成される。
【００７３】
他の態様では、サービングＣＮエンティティと呼ばれるコアネットワークＣＮエンティティが提供される。
【００７４】
以下の実施形態を含む（ただしこれらに限定されない）様々な組み合わせに従って、単独で、または組み合わせて実施することが可能な様々な実施形態が提供される。
【００７５】
一実施形態では、前記ＣＮエンティティは：
−  サービングＲＡＮエンティティと呼ばれる無線アクセスネットワークＲＡＮエンティティから、アイドルモードのユーザ機器ＵＥのページング用の推奨セルのリストを受信する
ように構成される。
【００７６】
一実施形態では、移動管理エンティティＭＭＥまたはサービングＧＰＲＳサポートノードＳＧＳＮなどの、前記ＣＮエンティティは：
−  ページングメッセージを送信すべき推奨ＲＡＮエンティティのリストとして編成される前記ＵＥのページング用の推奨セルのリストと、各推奨ＲＡＮエンティティについての、前記ＵＥのページング用の推奨セルのリストとを、ｅＮｏｄｅＢ  ｅＮＢまたは無線ネットワークコントローラＲＮＣなどのＲＡＮエンティティから受信する
ように構成される。
【００７７】
一実施形態では、前記ＣＮエンティティは：
−  前記ＵＥが接続モードからアイドルモードに遷移したときに、前記ＵＥの前記ページング用の推奨セルのリストを受信し、
−  ページングメッセージを送信すべきＲＡＮエンティティのリストを導出する
ように構成される。
【００７８】
一実施形態では、前記ＣＮエンティティは：
−  Ｓ１解放手順中またはＩｕ解放手順中など、前記ＵＥが接続モードからアイドルモードに遷移したときに、前記推奨ＲＡＮエンティティのリストと、各推奨ＲＡＮエンティティについての前記ＵＥのページング用の推奨セルのリストとを受信する
ように構成される。
【００７９】
一実施形態では、前記ＣＮエンティティは：
−  前記推奨ＲＡＮエンティティのリストを受信したときにタイムスタンプを設定し、前記リストと共に格納し、後でＵＥをページングするときに前記リストがまだ関連があるか否かを評価するために使用する
ように構成される。
【００８０】
一実施形態では、前記ＣＮエンティティは：
−  前記推奨セルのリストを受信したときにタイムスタンプを設定し、前記リストと共に格納し、後でＵＥをページングするときに前記リストがまだ関連があるか否かを評価するために使用する
ように構成される。
【００８１】
一実施形態では、前記ＣＮエンティティは：
−  前記ＲＡＮエンティティのリストのＲＡＮエンティティにページングメッセージを送信し、
−  ＲＡＮエンティティに送信されるページングメッセージに、前記ＲＡＮエンティティによるページング用の推奨セルのリストを付加する
ように構成される。
【００８２】
一実施形態では、前記ＣＮエンティティは：
−  前記ＲＡＮエンティティのリストのＲＡＮエンティティにページングメッセージを送信し、
−  ＲＡＮエンティティに送信されるページングメッセージに、ページング用のＵＥ無線能力に関連する情報を付加する
ように構成される。
【００８３】
一実施形態では、前記ＣＮエンティティは：
−  第１のステップにおいて前記ＲＡＮエンティティのリストのＲＡＮエンティティにページングメッセージを送信し、
−  前記第１のステップにおいて前記ページングへの応答がＵＥから受信されない場合、ＵＥが登録されている地理的エリアの全てのＲＡＮエンティティにページングメッセージを送信する
ように構成される。
【００８４】
他の態様は、そのようなエンティティによって実行される１つまたは複数のステップを備える関連する方法に関する。
【００８５】
当業者であれば、様々な上述の方法のステップが、プログラムされたコンピュータによって実行できることを容易に認識するであろう。本明細書では、いくつかの実施形態は、機械可読またはコンピュータ可読であり、機械実行可能またはコンピュータ実行可能な命令のプログラムであって、前記命令が前記上述の方法のステップの一部または全部を実行するプログラムを符号化するプログラム記憶デバイス、たとえばデジタルデータ記憶媒体も含むものとする。プログラム記憶デバイスは、たとえば、デジタルメモリ、磁気記憶媒体たとえば磁気ディスクおよび磁気テープ、ハードドライブ、または光学可読デジタルデータ記憶媒体とすることができる。実施形態は、上述の方法の前記ステップを実行するようにプログラムされたコンピュータも含むものとする。
【図１】
2018502517.tif 000003
【図２】
2018502517.tif 000004
【図３】
2018502517.tif 000005
【図４】
2018502517.tif 000006
【図５】
2018502517.tif 000007
【図６】
2018502517.tif 000008
【国際調査報告】
2018502517.tif 000009
2018502517.tif 000010
2018502517.tif 000011